(57)【要約】　　　（修正有）【課題】容器本体の口頸部に嵌合して密閉する中蓋と該中蓋に嵌合する外蓋とからなる蓋体を、栓抜き等を用いなくても容易に分離可能にした密封蓋体を提供する。【解決手段】内筒部６と注出筒９との間に外蓋５の内筒部１１を嵌合可能な嵌合凹部を形成して、前記嵌合筒部に円筒壁８ｂを立設すると共に該円筒壁面に複数の傾斜面を有する案内突起８ｃを突設して、容器本体２の口頸部２ａに嵌合可能にした中蓋４を形成し、前記中蓋に嵌合する内外筒部からなる嵌合筒部１４にヒンジ１５を介して蓋部１６を連結して開閉自在に形成すると共に、前記外筒部１２の内面に中蓋の案内突起８ｃに係合する係合突起１４ｃを形成した外蓋５を、前記中蓋４に覆うように被着して、内筒部１１を中蓋の嵌合凹部に嵌合せしめると共に外筒部１２を中蓋の外筒部７に嵌合、係止せしめて結合して、容器本体の口頸部２ａに嵌着、密封可能に形成して、分離可能な密封蓋体３を構成する。【選択図】　　　　図１
2004001852.tif 000002
【特許請求の範囲】
【請求項１】
容器の口頸部に嵌合する内筒部と外筒部を連接部により連接した嵌合筒部の内側に破断可能な閉板部を設けた注出筒を連接して、内容物を収容した容器の開口部を密封可能にした中蓋に、前記内筒部と注出筒との間に外蓋の内筒部を嵌合可能な嵌合凹部を形成して、前記連接部には円筒壁を立設すると共に該円筒壁面に複数の傾斜面を有する案内突起を突設して、容器本体の口頸部に嵌合可能にした中蓋を形成し、中蓋に嵌合する内筒部と外筒部からなる嵌合筒部にヒンジを介して蓋部を連結して開閉自在に形成すると共に、前記外筒部の内面に中蓋の案内突起に係合する係合突起を形成してなる外蓋を、前記中蓋に覆うように被着して、前記内筒部を中蓋の嵌合凹部に嵌合せしめると共に前記外筒部を中蓋の外筒部に嵌合、係止せしめて結合して、容器本体の口頸部に嵌着、密封可能に形成した蓋体を容器本体の口頸部から簡単に分離可能に形成してなることを特徴とする容易に分離可能な密封蓋体。
【請求項２】
前記中蓋は、嵌合筒部の内筒部に、その下端から立ち上げるように屈曲せしめて注出筒を連接して外蓋の内筒部を嵌合する嵌合凹部を形成すると共に、嵌合筒部の外筒部に、外蓋の外筒部の係止突起を係止する抜け止め部を形成して、外蓋が抜け出るのを防止したことを特徴とする請求項１に記載する容易に分離可能な密封蓋体。
【請求項３】
前記案内突起は、上下方向の傾斜面を左右に有する正面が略三角形状をした突起が、前記中蓋の嵌合筒部の円筒壁面に突設されてなることを特徴とする請求項１に記載する容易に分離可能な密封蓋体。
【請求項４】
前記注出筒は、嵌合凹部より上部の外周面に外蓋の内筒部を係止する係止突起と外蓋の内筒部の抜け止めの環状突起を設けると共に、上端部の内周面に注出口と破断可能な閉板部を設けられてなることを特徴とする請求項１に記載する容易に分離可能な密封蓋体。
【請求項５】
前記外蓋は、嵌合筒部の外筒部の内周面の下端部に前記中蓋の外筒部の抜け止め部に係止する係止突起を設けて、また、嵌合筒部の内筒部の長さを前記嵌合凹部の深さの形成すると共に、内筒部の上端部を前記注出筒の係止突起と環状突起に係止可能に形成してなることを特徴とする請求項１に記載する容易に分離可能な密封蓋体。
【発明の詳細な説明】
【０００１】
【発明の属する技術分野】
本願の発明は、熱可塑性合成樹脂からなる中空の容器本体の口頸部に装着される密閉中蓋と、該密閉中蓋を覆うようにして嵌合された開閉自在な外蓋とからなる密閉蓋体を嵌着、密閉した容器に係り、中でも、容器本体とは異質の合成樹脂からなる密閉中蓋に、ヒンジ蓋からなる外蓋を被着、嵌合して形成した密閉蓋体が嵌着された中空容器が、使用済みとなって廃棄される際には、前記蓋体の外蓋と中蓋とを一緒に容器本体から容易に分離できるようにした、容器の再生処理に適した蓋体と該蓋体を有する容器に関するものである。
【０００２】
【従来の技術】
従来からソースや醤油等の注出容器としては、溶液を収容する中空の容器本体と、該容器本体の口頸部に嵌合して密封する中蓋と、該中蓋の外側を覆って嵌着した外蓋とからなる蓋体とで構成される注出容器が多用されている。
このような容器は使い勝手がよいことから、最近の生活様式の変化に伴って、このような容器を用いた各種の製品が大量に消費されるようになり、使用済みとなった容器はゴミとなって大量に廃棄されるようになってきた。
そして、このように使用済みとなった容器をゴミとして大量に処理することが社会的に問題を引き起こすようになるにつれて、これらの合成樹脂容器は家庭から出る一般のゴミとは分別して回収した後、資源として有効に再生利用することが義務づけられるようになってきた。
【０００３】
ところで、前記した各種の製品は、生産コスト等の経済上の理由あるいは密封性や開口性等の技術上の理由から、ほとんどのものが容器本体と蓋体（外蓋および中蓋）とは互いに異質の樹脂材料から形成されている。
そこで、使用済みとなって廃棄された容器を回収して、資源として再利用するには、容器本体と蓋体とを分別して再生処理することが不可欠であるから、容器を廃棄する際には、容器本体と蓋体とを分離して別々にしてから廃棄するか、あるいは、家庭ゴミとは分別して回収した後に、蓋体部分を容器本体から分離することが必要である。
従って、前記した容器は、容器本体から蓋体を簡単に分離できるような構造にして、再生処理に要する費用を低く抑えることが、空になった容器を資源として再生利用するためには欠くことができない要件となる。
【０００４】
このような要件を考慮して、容器本体からヒンジ式の蓋体を簡単に分離して廃棄できるようにした注出容器として、実開平７−４０５００号公報その他に見るように、栓抜きを用いて蓋体を容器本体の口頸部から簡単に分離できるように、蓋体の嵌合筒部に栓抜きが係合する係合部を設けた構造にして、梃子の作用により蓋体を容器本体から分離するようにしたものが知られている。
しかしながら、このような容器では、栓抜きがなければ蓋体を容器本体から分離することができないので、蓋体を分離するために常に栓抜きを用意しておかなければならない。
【０００５】
そこで、栓抜きがなくとも、容器本体から蓋を容易に分離できるようにする手段を講じた容器として、実開平４−１１８３４８号公報や実開平５−３４１５１号公報に記載されているように、容器本体の口頸部に嵌合する筒状の嵌合筒部にヒンジを介して連結された蓋部からなる蓋体に於いて、嵌合筒部に破断可能な薄肉部を形成すると共に、該薄肉部を破断するための把持片を設けた構造にして、廃棄する際に、把持片を掴んで引張ることにより前記嵌合筒部のが破断されて、蓋体が容器本体から容易に分離されるものが知られている。
【０００６】
しかし、上記したような容器に於いては、栓抜きのような特別の分離用の道具を必要としたり、蓋体を分離するのにやや大きな力を要すると共に、蓋体の一部が千切れるおそれもあり、また、これらの蓋体はやや複雑であるから特別な形をした成形金型を必要とする。
そこで、前記したように中蓋と外蓋からなるヒンジ形式の蓋体が嵌着された容器に於いて、簡単な操作により中蓋と外蓋とが一緒に容器本体から容易に分離できるようにした蓋体の出現が望まれる。
【０００７】
上記した従来の蓋体のように特別な道具を用いたり、蓋体の一部を破断させたりすることなしに、蓋体を容器本体から簡単に分離することができるようした注出容器として、特開平２００１―１５８４５６号公報に記載するような容器が提案されている。
上記公報に記載する発明は、図７に示すように、溶液を収容する中空の容器本体５２の口頸部５３に嵌合して密封する中蓋５４と、該中蓋５４を覆うように被着する外蓋５５とからなる蓋体５９を、図８に示すように、前記容器本体５２の口頸部５３に螺着して密閉する密封容器５１に於いて、前記中蓋５４を回動することにより容器本体５２の口頸部５３から簡単に分離できるように形成したものである。
【０００８】
上記のように形成した注出容器５１は、容器本体５２の口頸部５３が外径の小さい上半部５３ａと大きい下半部５３ｂとの段状に形成されて、前記口頸部の上半部５３ａの外周面に環状突起５６を周設して、境界段部に周方向に複数個の略三角形をした案内突起５７を突設すると共に下半部５３ｂの外周面に雄ネジ５８を周設して、容器本体５２の内部に内溶液を収容可能に形成されている。
そして、前記容器本体５２の開口部に嵌着する中蓋５４は、口頸部５３の内面に嵌合する内筒部５４ａと外面に嵌合する外筒部５４ｂとが頂壁部で連結された嵌合筒部と、前記内筒部に連接する密閉板の中央に設けた注出口５４ｃと、前記外筒部５４ｂの下端部に設けられた前記口頸部５３の案内突起５７に係合する波形の係合突起６０とから、前記容器本体５２の口頸部５３に嵌着可能に形成されている。
【０００９】
上記のように形成された中蓋５４が容器本体５２の口頸部５３に嵌着されると、前記口頸部５３に設けられた案内突起５７に中蓋５４の波形状をした係合突起６０が係合されると共に、前記中蓋５４の嵌合突起５４ｄが前記口頸部５３の環状突起５６に係合されて、注出口５４ｃから内容液を注出可能にした液体容器が形成され、そして、液体容器の前記中蓋５４を覆うように外蓋５５を被着して、口頸部５３の雄ネジ５８に外蓋５５のネジ部６１を螺合して、図８に示すように密閉された注出容器５１が形成される。
【００１０】
このようにして形成された注出容器５１に於いては、中蓋５４を容器本体５２から分離する際には、外蓋５５を回動させて容器本体５２の口頸部５３から取り除いた後に、中蓋５４を掴んで回動させることにより、中蓋５４の波形の係合突起６０が口頸部５３の三角形状の案内突起５７面に滑るように乗り上げて、中蓋５４が上方へ押し上げられるので、中蓋５４は容器本体５２の口頸部５３から簡単に分離することができる。
【００１１】
しかし、上記した容器５１は、中蓋を容器本体から簡単に分離できるようにするために、複雑に形成された容器本体５２の口頸部５３面に、三角形状をした案内突起５７が一体に設けられた特注品であるから、特別の内溶液を詰め替えて使用するような容器には適しているが、一般に広く使用されている通常の中空容器にはそのまま適用することができない。
そこで、広く一般に使用されている中空容器にも簡単に適用することができて、容器本体から容易に分離可能にした密閉蓋体の出現すれば、使用済みの容器の再生処理が容易になる。
【００１２】
【発明が解決しようとする課題】
本願の発明は、上記したような理由に基づいて創案されたもので、広く一般に使用されている中空容器に内容液を収容すると共に、容器本体の口頸部に嵌合して密閉可能な中蓋と、該中蓋を覆うように被着する外蓋とからなる蓋体を、前記中空容器の口頸部に嵌着して形成してなる注出容器に於いて、空になった容器本体から前記蓋体を分離するのに、栓抜き等の特別な道具を必要とせずに、また、蓋体の一部を破断したり、切除しなくても、小さな力で容易に分離可能な構造をした蓋体に形成して、使用済みとなって廃棄する際に、空の容器から外蓋および中蓋を簡単に分離できるようにした分別処理に適した蓋体を装着した容器を提供することを目的とする。
【００１３】
【課題を解決するための手段】
本願発明は、中空の容器本体の口頸部に嵌合して開口部を密閉可能で、外蓋を押し上げて上方へ案内可能に形成した中蓋と、該中蓋を覆うように嵌着するヒンジ形式の外蓋とからなる蓋体を、内容物を収容した一般に使用されている中空の容器本体に嵌合、装着して、容器本体から蓋体を簡単に分離可能にした注出容器を構成する。
【００１４】
前記中蓋は、容器の口頸部に嵌合する内筒部と外筒部とそれらを連結する連結部とからなる嵌合筒部の内側に、内溶液を注出する注出筒を連接すると共に該注出筒に破断可能な閉板を設けて密封可能にして、前記嵌合筒部の外側に、外蓋に係合して上方へ押し上げるための三角形状をした案内突起を突設して、容器本体の口頸部に嵌着可能にして外蓋が嵌合されるように形成する。
【００１５】
前記外蓋は、中蓋の外筒部に嵌合する外筒部と中蓋の注出筒に嵌合する内筒部とを頂壁部で連接した固定筒部に、ヒンジを介して蓋部を連結して開閉自在にすると共に、外筒部の内面に中蓋の案内突起に係合可能な係合突起を設けて、中蓋を覆うようにして嵌合可能に形成する。
上記のように形成した中蓋に前記外蓋を嵌合せしめて一体となるように結合して、容器本体の口頸部に嵌合、装着して密閉可能にした蓋体を構成して、該蓋体の外蓋を回動させることにより容易に分離可能となした蓋体を形成する。
【００１６】
【発明の実施の形態】
中空の容器本体２の口頸部２ａに嵌合する内外筒部からなる嵌合筒部８に連接して、注出筒９と破断可能な閉板部１７とを設けて開口部を密閉可能に形成した中蓋４に、前記嵌合筒部８の連結部８ａに立設した円筒壁８ｂに案内突起８ｃを設けると共に、前記嵌合筒部８に外蓋５の嵌合筒部１４の内外筒部を嵌合可能に形成した中蓋４を、熱可塑性樹脂の射出成形により成形する。
また、前記中蓋４の嵌合筒部８に嵌合可能に形成した外蓋５の嵌合筒部１４の外筒部１２の内面に前記案内突起８ｃに係合する係合突起１４ｃを設けると共に、外蓋５の嵌合筒部１４にヒンジ１５を介して蓋部１６を連接して開閉自在となしたヒンジ蓋状の外蓋５を、熱可塑性樹脂の射出成形により成形する。
【００１７】
本願発明は、上記のようにして成形された中蓋４の上から前記のように成形された外蓋５を被せるように嵌合せしめて、外蓋５の内筒部１１が中蓋４のＵ字状をした嵌合凹部ｓ内に圧入されると共に、外蓋５の外筒部１２が中蓋４の嵌合筒部８の外筒部７を締めつけるように嵌着されて一つに結合された、容器本体２の口頸部２ａに嵌着して密封可能なヒンジ蓋形式の蓋体３が形成される。
そして、上記のようにして形成された蓋体３を、液状の内容物が収容された中空の容器本体２の口頸部２ａに打栓して嵌着せしめた注出容器１を構成する。
【００１８】
上記のようにして、容器本体２の口頸部２ａの開口部が蓋体３により密封された注出容器１を使用するには、外蓋５の蓋部１６を開いてから、中蓋４の注出筒内の環状の摘まみ片１７ａを引っ張って閉板部１７を切除すると、開口部が形成されて使用可能な状態になるので、中蓋の閉板部１７が開口された注出容器１を手に持って傾けることにより、容器本体２の中の内容物を中蓋４の開口部から注出して使用することができる。
【００１９】
このようにして使用済みとなった注出容器１は、蓋部３が閉じられた状態にしてから外蓋５を掴んで回動させると、外蓋５の係合突起１４ｃが中蓋４の案内突起８ｃの傾斜面に乗り上げて、外蓋５が押し上げられて浮き上がった状態になるので、外蓋５の蓋部１６を開いた状態にしてから、該蓋部を掴んで上方に引っ張り上げることにより、外蓋５と中蓋４とを一緒に容器本体２から簡単に分離できるので、異質の容器本体２と蓋体３とは簡単に分別して廃棄される。
【００２０】
【実施例】
以下に、本願発明の蓋体とそれを用いた容器について、最適な一つの実施例に基づいて、図面を参照しつつ詳細に説明する。
本願の発明は、図１に示すように、各種の調味料や液体飲料等の液状をした内容物が収容される中空の容器本体２の口頸部２ａに嵌合して装着される蓋体３は、口頸部２ａの内外面に密着して嵌合する中蓋４と、該中蓋４を覆うようにして中蓋の嵌合筒部に嵌合して口頸部２ａに嵌着、固定される外蓋５とからなり、前記容器本体２と中蓋４および外蓋５とは、通常はそれぞれの機能に応じた異質の合成樹脂から形成されている。
【００２１】
前記した中空の容器本体２は、ポリエチレンテレフタレート等の硬質の合成樹脂のブロー成形により、溶液を収容可能にした容器本体２の胴部に連接した口頸部２ａが形成されると共に該口頸部にネックリング２ｂが形成されて、該ネックリングの上部には前記中蓋４の嵌合筒部８の外筒部７の内面に設けられた係合凸部７ａが係合する係合凹部２ｃが設けられた構造に成形されたものである。
【００２２】
そして、前記中蓋４は、ポリエチレン等の軟質の汎用樹脂の射出成形により、図１および図５に示したように、容器本体２の口頸部２ａに嵌合される内筒部６と外筒部７とを連接した連接部８ａとからなる嵌合筒部８を形成して、前記連結部８ａに円筒壁８ｂを立設すると共に該円筒壁面に傾斜面を有する三角形状をした複数の案内突起８ｃを突設して、また、前記嵌合筒部８の内筒部６の下端部に連接して注出筒９を立ち上げるように形成して、前記内筒部６と注出筒９の間に外蓋５の内筒部１１を圧入して固定可能なＵ字状をした嵌合凹部を形成すると共に、前記中蓋４の嵌合筒部８の外筒部７の下端部に口頸部２ａの係合凹部２ｃに係合する係合凸部７ａを形成して、容器本体２の口頸部２ａに嵌合可能にした中蓋４が成形される。
【００２３】
また、前記外蓋５は、中蓋４と同じように汎用樹脂を射出成形して、前記容器本体２に装着される中蓋４の嵌合筒部８に嵌着可能な外筒部１２と内筒部１１とを頂壁部１３で連接してなる嵌合筒部１４に、ヒンジ１５を介して開閉自在に蓋部１６が連結された形状に成形されて、前記外筒部１２の内面上部には前記中蓋４の三角形状の案内突起８ｃに係合可能に形成された係合突起１４ｃが設けられ、また、外筒部１２の内面下部には中蓋の外筒部７に係止する係止突起１２ａが設けられている。
【００２４】
このように成形した外蓋５を、図２に示すように、外蓋の外筒部１２が上記のように成形された中蓋４の外筒部７に嵌合するようにして、外蓋５を中蓋４に被着せしめてから、外蓋５を中蓋４に対して押圧して嵌合させると、中蓋４の外筒部７の上端部と外蓋５の外筒部１２の先端部とに面取りしてあるから、図５に示したように、外蓋５の内筒部１１が中蓋４のＵ字状の嵌合凹部に嵌入されると共に、外蓋５の外筒部１２は中蓋４の外筒部７に簡単に嵌合されて、密接に結合された蓋体３が形成される。
【００２５】
このようにして形成された蓋体３を、液状の内容物が収容された容器本体２の口頸部２ａに打栓せしめて開口部を密閉すると、図１に示したように、中蓋４の嵌合筒部８内に容器本体２の口頸部２ａが嵌合されて、蓋体３は容器本体２の口頸部２ａに嵌着して固定される。
このようにして嵌着された蓋体３は、中蓋４の嵌合筒部８の内外筒部が口頸部２ａにより押し拡げられる方向に作用する力を受けても、中蓋４の外筒部７は外蓋５の嵌合筒部の外筒部１２により締め付けられると共に、中蓋４の内筒部６は外蓋５の内筒部１１により圧迫されるので、蓋体３は一層強く口頸部２ａに嵌着されて、中蓋４の嵌合筒部８の内外筒部が外向きに開いて嵌着力が弱くなるようなことがないので、高温充填が行われる容器に用いた場合にも、熱履歴により中蓋の内筒部が内倒れ現象を起こすようなことがないので、液漏れを引き起こすような心配もなくなる。
【００２６】
上記のようにして、液状の内容物が収容されてなる容器本体２の口頸部２ａの開口部を前記蓋体３により密封して形成された注出容器１が、包装されて商品として出荷された後、店頭で購入されて消費者の手に渡り、消費者が使用する際には、注出容器１の外蓋５の摘み片１６ａを指先で押し上げて蓋部１６を開いてから、中蓋４の注出筒９の環状の摘まみ片１７ａに指先を掛けて上方へ引っ張り上げると、中蓋４の閉板部１７は薄肉の弱め線部に沿って引き裂かれて切除されて、注出筒９に開口部が形成されて使用可能な状態になる。
このようにして中蓋４が開口された注出容器１は、蓋部１６を開いた状態にして容器本体２部分を手に持って傾けることにより、容器本体２の中の内容物を中蓋４の開口部から注出して使用に供されるが、使用後に蓋部１６を閉じると、注出口１０が蓋部天板の環状の密閉片１６ｂにより密閉されるので、再び保管することができる。
【００２７】
上記のようにして注出容器１の内容物が全て消費されて、不要になった容器を廃棄する際には、図３に示したように、蓋部１６が閉じられた外蓋５を掴んで左右いずれかに回転させると、外蓋５の回転により嵌合筒部１４の外筒部１２の内面に設けられた係合突起１４ｃが、前記中蓋４の嵌合筒部８の円筒壁８ｂに設けた三角形状の案内突起８ｃ面に当接して、更に、係合突起１４ｃは案内突起８ｃの三角形の斜面に乗り上げて、滑るようにして上方へ移動しながら外蓋５を上方へ押し上げた状態にする。
【００２８】
そして、押し上げられた前記外蓋５は、その外筒部１２の下端部に設けられた係止突起１２ａが中蓋４の外筒部７の上端部に設けた抜け止め部７ｂに係止されると共に、中蓋４の嵌合凹部から外蓋５の内筒部１１の上半分が浮き上がり、その上端部が注出筒９の上端部に設けた環状突起９ｂに係止されて、外蓋５の上方への移動は停止される。
このようにして、容器本体２の口頸部２ａに嵌着された中蓋４の嵌合凹部内に嵌合されていた外蓋５の内筒部１１が押し上げられると、内筒部１１の下半部分が嵌合凹部の溝幅が狭い部分から溝幅が広い部分に移動して停止すると、外蓋５の中蓋４の内筒部６を容器本体２の口頸部２ａに押圧していた嵌合力が低減されることになる。
【００２９】
そこで、外蓋５の蓋部１６を開いた状態にしてから、図４に示すように、該蓋部１６を掴んで上方へ引っ張り上げると、外蓋５の嵌合筒部１４の外筒部１２の係止突起１２ａが中蓋４の外筒部７の抜け止め部７ｂに当接すると共に、外蓋５の嵌合筒部１４の内筒部１１の上端部が中蓋４の注出筒９の環状突起９ｂに当接して係止されるので、抜け止めされた状態になった外蓋５と中蓋４とを一緒に簡単に引き抜くことができる。
このようにして、外蓋５および中蓋４が容器本体２から簡単に分離された注出容器１は、回収されて資源として再生処理された後で、再び利用に供される。
【００３０】
本願の発明は、上記したように、容器本体２の口頸部２ａに嵌合される嵌合筒部８に立設した円筒壁８ｂに傾斜面を有する案内突起８ｃを突設すると共に、嵌合筒部８の内筒部６に連接して注出筒９を設けて、外蓋５の内筒部１１を嵌合する嵌合凹部を形成して、容器本体２の口頸部２ａに嵌合可能な中蓋４を形成して、前記中蓋４の嵌合筒部８に嵌着可能に形成された外蓋５の嵌合筒部１４の外筒部１２の内面に、前記中蓋４の案内突起８ｃに係合可能な係合突起１４ｃを形成すると共に、前記外蓋５の嵌合筒部１４にヒンジを介して蓋部１６を連結して形成してなる外蓋５を被着せしめて、前記中蓋４の嵌合凹部に外蓋５の内筒部１１を嵌合すると共に中蓋４の外筒部７に外蓋５の外筒部１２を嵌合して、前記中蓋４の案内突起８ｃに外蓋５の係合突起１４ｃを係合可能に蓋体３を形成して、容器本体２の口頸部２ａに嵌着して密封するようにしたものである。
【００３１】
従って、上記のように形成された蓋体３が口頸部２ａに打栓、嵌合された注出容器１は、中蓋４の嵌合筒部８が容器本体２の口頸部２ａに強く締め付けるようにして嵌着されているので、蓋体３をそのまま引き抜こうとしても、簡単に口頸部２ａから蓋体３を外すことはできないが、外蓋５を回動させることにより外蓋の係合突起１４ｃが中蓋の案内突起８ｃの傾斜面に乗り上げて、外蓋５の嵌合筒部１４が中蓋４から浮き上がるので、中蓋４の容器本体２に対する嵌合力が低減されて、中蓋４を容器本体２から簡単に引き抜くことができるようになるので、使用済みの注出容器を廃棄する際には、異質の材料からなる容器本体部分と蓋体部分とを簡単に分別してから廃棄できるので、再生処理が容易になる。
【００３２】
尚、上記した実施例に於いて、蓋体３を容器本体２から分離する際に、外蓋５の嵌合筒部１４を中蓋４の嵌合筒部８からから浮き上がった状態にするために、中蓋４の嵌合筒部８の円筒壁８ｂに設けた案内突起８ｃの形状を、図２に示したように、略正三角形をした両面に傾斜面を有するものにしたが、本願発明は、このような形状に限定されるものではなくて、斜辺を傾斜面とした直角三角形や傾斜面が外に湾曲した山形状に形成してもよい。
【００３３】
また、上記の実施例では、中蓋４に設ける注出口１０を注出筒９の内側面に連接するように形成したが、本願発明は、図６に示したように、注出筒２９の先端部を湾曲させて注ぎ口を形成した、注出口３０を注出筒２９に直接に設けた形状に中蓋２４を形成してもよいし、このようにすると、先の実施例に比べて中蓋の構造が少しは簡単になるので、成形金型や成形するのが容易になるから製造コストを低減することができる。
更に、注出筒９を前記嵌合筒部８に設けた円筒壁８ｂの先端部に連接して、注出筒９の先端に注出口を設けた構造にしてもよくて、その場合には、中蓋４の嵌合凹部と外蓋の内筒部を省略することも可能である。
【００３４】
【発明の効果】
本願の発明は、容器本体の口頸部に嵌着する中蓋の嵌合部を外蓋の嵌合筒部で内外面を締め付けるような構成にした蓋体を形成したので、蓋体の容器本体の口頸部に対する嵌合力が従来の蓋体よりも強くできて、また、本願発明の蓋体は、従来から一般に広く使用されている中空容器に、特別な手段を施さずに嵌着させることができる。
本願発明の蓋体は、外蓋を回動させることにより、簡単に外蓋を中蓋から浮き上がらせて、蓋体の容器本体の口頸部に対する嵌合力を弱めることができるので、栓抜き等の分離用の道具を必要としたり、あるいは、蓋体の一部を切除したりすることなしに、簡単な操作による小さな力で蓋体を容器本体から分離することができて、容器の再生処理が容易になる。
【図面の簡単な説明】
【図１】本願発明の蓋体を装着した注出容器を示す縦断面図である。
【図２】図１に示す蓋体の外蓋と中蓋とを分離した状態を示す側面図である。
【図３】図１に示す注出容器の蓋体を口頸部から押し上げた状態を示す縦断面図である。
【図４】本願発明の蓋体を容器本体から引き抜く状態を示す縦断面図である。
【図５】図１に示す注出容器の蓋体を部分拡大した断面図である。
【図６】図１に示す本願発明の蓋体の変形例を示す縦断面図である。
【図７】容器の口頸部に嵌着した中蓋を回動させて分離可能な蓋体を示す分解図である。
【図８】図７に示す蓋体を容器本体の口頸部に被着せしめた状態を示す縦断面図である。
【符号の説明】
１．　　注出容器
２．　　容器本体
２ａ．　口頸部
３．　　蓋体
４．　　中蓋
５．　　外蓋
６．　　内筒部（中蓋）
７．　　外筒部（中蓋）
８．　　嵌合筒部（中蓋）
８ａ．　連結部
８ｂ．　円筒壁
８ｃ．　案内突起
９．　　注出筒
１０．　注出口
１１．　内筒部（外蓋）
１２．　外筒部（外蓋）
１３．　頂壁部
１４．　嵌合筒部（外蓋）
１４ｃ．係合突起
１５．　ヒンジ
１６．　蓋部
１７．　閉板部
【図１】
2004001852.tif 000003
【図２】
2004001852.tif 000004
【図３】
2004001852.tif 000005
【図４】
2004001852.tif 000006
【図５】
2004001852.tif 000007
【図６】
2004001852.tif 000008
【図７】
2004001852.tif 000009
【図８】
2004001852.tif 000010